(57)【要約】【課題】高齢者や被介護者が住宅内のどの位置に居ても、トイレに最短距離で直ぐに行ける住宅の室内構造を提供する。【解決手段】住宅の平面視におけるほぼ中央部にトイレ１が配置され、このトイレ１のトイレ出入口２の幅が車椅子３の通行可能な幅に設定されているので、高齢者や被介護者が住宅内のどの位置に居ても、トイレに最短距離で直ぐに行ける。また、トイレ出入口２の幅が７０ｃｍ〜２００ｃｍに設定されているので、介護者が被介護者を介護しつつ容易にトイレ１に出入りさせることができる。また、トイレ出入口２の幅が７０ｃｍ〜２００ｃｍと通常より大きく設定されているので、車椅子のままで容易にトイレ１に出入できる。【選択図】図１
2008231817.tif 000002
【特許請求の範囲】
【請求項１】
住宅の平面視におけるほぼ中央部にトイレが配置され、
このトイレのトイレ出入口の幅が７０ｃｍ〜２００ｃｍに設定されていることを特徴とする住宅の室内構造。 
【請求項２】
請求項１に記載の住宅の室内構造において、
前記トイレ出入口が対向して２つ配置されていることを特徴とする住宅の室内構造。 
【請求項３】
請求項１または２に記載の住宅の室内構造において、
前記トイレに隣接して洗面室が配置され、この洗面室に隣接して浴室が配置され、
前記トイレ出入口前の通路の延長上に、前記洗面室の出入口と、前記浴室の出入口とが一直線上に配置されていることを特徴とする住宅の室内構造。 
【請求項４】
請求項１〜３のいずれか一項に記載の住宅の室内構造において、
玄関に隣接してキッチンが配置され、このキッチンに隣接して居室が配置され、
前記玄関とキッチンとの境界にある出入口と、前記キッチンと居室との境界にある出入口とが一直線上に配置されていることを特徴とする住宅の室内構造。 
【請求項５】
請求項４に記載の住宅の室内構造において、
前記キッチンに隣接して前記トイレが配置され、このキッチンとトイレとの境界に前記トイレ出入口が配置されていることを特徴とする住宅の室内構造。 
【請求項６】
請求項１または２に記載の住宅の室内構造において、
玄関と被介護者用の部屋との間に廊下が配置され、この廊下の途中に面して前記トイレ出入口が配置されていることを特徴とする住宅の室内構造。
【発明の詳細な説明】
【技術分野】
【０００１】
本発明は、高齢者や介護が必要な被介護者に適した住宅の室内構造に関する。
【背景技術】
【０００２】
高齢化社会の進行に伴い、最近の住宅には、高齢者に対応した構造が求められることが多くなっており、例えば、住宅内の段差をなくしてバリアフリーとしたり、階段だけでなく廊下にも手摺を設置したり、車椅子が通過できるように廊下幅を調整したりすることが取り入れられている。
また、高齢になるにつれてトイレの使用頻度が高くなるので、住宅にトイレをどのように配置するかが、高齢者や被介護者にとって住宅を選択する際の重要な事項となる。
【０００３】
上記事情に鑑み、トイレを含むサニタリースペースを住宅内に配置した例の一つとして特許文献１に記載の住宅が知られている。
この住宅は、１階部分に高齢者等の被介護者のための専用部屋を被介護者室として備える住宅において、浴室、トイレ、洗面脱衣室等からなるサニタリースペースを挟んだ前記被介護者室と反対側に、介護者のための専用部屋を介護者室として設け、かつ前記サニタリースペースに、少なくとも被介護者室及び介護者室の双方向と他の一方向から出入り可能となっていることを特徴としている。
【特許文献１】特開２００３−１３８７６２号公報
【発明の開示】
【発明が解決しようとする課題】
【０００４】
ところで、上記のような住宅では、サニタリースペースに、被介護者室及び介護者室の双方向から出入りできるので、高齢者や介護が必要な被介護者が被介護室に居る場合はトイレに行き易いが、トイレは住宅内において端に配置されているので、高齢者や被介護者が居間やその他の部屋に居たりすると、トイレまでの距離が長くなり、不便を強いられる。特に車椅子等を必要とする高齢者や被介護者にとっては、住宅内のどの位置に居ても、トイレに最短距離で直ぐに行けることが重要となる。
【０００５】
本発明は上記事情に鑑みてなされたもので、高齢者や被介護者が住宅内のどの位置に居ても、トイレに最短距離で直ぐに行ける住宅の室内構造を提供することを課題としている。
【課題を解決するための手段】
【０００６】
上記課題を解決するために、請求項１に記載の発明は、例えば図１に示すように、住宅の平面視におけるほぼ中央部にトイレ１が配置され、このトイレ１のトイレ出入口２の幅が７０ｃｍ〜２００ｃｍに設定されていることを特徴とする。
【０００７】
請求項１に記載の発明によれば、住宅の平面視におけるほぼ中央部にトイレ１が配置されているので、高齢者や被介護者が住宅内のどの位置に居ても、トイレに最短距離で直ぐに行ける。また、トイレ出入口２の幅が７０ｃｍ〜２００ｃｍに設定されているので、介護者が被介護者を介護しつつ容易にトイレ１に出入りさせることができる。また、トイレ出入口２の幅が７０ｃｍ〜２００ｃｍと通常より大きく設定されているので、車椅子のままで容易にトイレ１に出入できる。
なお、トイレ出入口２の幅を７０ｃｍ〜２００ｃｍに設定したのは、７０ｃｍ未満では出入口幅が狭すぎて介護者が被介護者を介護し難く、また、２００ｃｍを越えると、不必要に出入口幅が大きくなりすぎてしまうからである。また、出入口幅が大きくなりすぎるとこのトイレ出入口を開閉するための戸を大きくする必要もあり、この戸を開閉するのに高齢者や被介護者にとって負担になるからでもある。
【０００８】
請求項２に記載の発明は、例えば図２に示すように、請求項１に記載の住宅の室内構造において、
前記トイレ出入口２，２２が対向して２つ配置されていることを特徴とする。
【０００９】
請求項２に記載の発明によれば、トイレ出入口２，２２が２つ配置されているので、トイレへ１の出入が２方向から行え、さらにトイレ１に最短距離で直ぐに行ける。また、高齢者や被介護者が一方の出入口２（２２）からトイレ１に入った際に、他方の出入口２２（２）から介護者が容易に介護できる。
【００１０】
請求項３に記載の発明は、例えば図１に示すように、請求項１または２に記載の住宅の室内構造において、
前記トイレ１に隣接して洗面室１０が配置され、この洗面室１０に隣接して浴室１１が配置され、
前記トイレ出入口前の通路６の延長上に、前記洗面室１０の出入口１０ａと、前記浴室１１の出入口１１ａとが一直線上に配置されていることを特徴とする。
【００１１】
請求項３に記載の発明によれば、トイレ１から出て直ぐに洗面室１０で手洗い等を行え、また、トイレ出入口前の通路６から一直線で洗面室１０、浴室１１まで行けるので、車椅子を必要とする高齢者や被介護者にとって非常に使い勝手がよくなる。
また、洗面室１０の出入口１０ａと浴室１１の出入口１１ａとの双方を開放しておくことによって、風の抜けがよくなり、洗面室や浴室を快適に保つことができる。
【００１２】
請求項４に記載の発明は、請求項１〜３のいずれか一項に記載の住宅の室内構造において、
玄関１２に隣接してキッチン１７が配置され、このキッチン１７に隣接して居室４が配置され、
前記玄関１２とキッチン１７との境界にある出入口１８と、前記キッチン１７と居室４との境界にある出入口１９とが一直線上に配置されていることを特徴とする。
【００１３】
請求項４に記載の発明によれば、玄関１２と居室４との間を一直線で行き来でき、車椅子を必要とする高齢者や被介護者にとって非常に使い勝手がよくなる。
また、車椅子のままでキッチン１７で作業をしていても、直ぐに玄関１２や居室４に出入できる。
【００１４】
請求項５に記載の発明は、例えば図２に示すように、請求項４に記載の住宅の室内構造において、
前記キッチン１７に隣接して前記トイレ１が配置され、このキッチン１７とトイレ１との境界に前記トイレ出入口２２が配置されていることを特徴とする。
【００１５】
請求項５に記載の発明によれば、キッチン１７から直ぐにトイレ１に出入できるので、車椅子を必要とする高齢者や被介護者がキッチン１７で作業していても、直ぐにトイレ１に出入できる。
【００１６】
請求項６に記載の発明は、例えば図３に示すように、請求項１または２に記載の住宅の室内構造において、
玄関４０と被介護者用の部屋３３との間に廊下４２が配置され、この廊下４２の途中に面して前記トイレ出入口３２が配置されていることを特徴とする。
【００１７】
請求項６に記載の発明によれば、玄関４０と被介護者用の部屋３３との間に配置された廊下４２の途中に面してトイレ出入口３２が配置されているので、被介護者は外出先から帰宅した際に直ぐにトイレ３１に行くことができ、また、外出する直前にトイレ３１に直ぐに行くことができる。
【発明の効果】
【００１８】
本発明によれば、住宅の平面視におけるほぼ中央部にトイレが配置され、このトイレ出入口の幅が車椅子の通行可能な幅に設定されているので、高齢者や被介護者が住宅内のどの位置に居ても、トイレに最短距離で直ぐに行ける。また、トイレ出入口の幅が７０ｃｍ〜２００ｃｍに設定されているので、介護者が被介護者を介護しつつ容易にトイレに出入りさせることができる。また、トイレ出入口の幅が７０ｃｍ〜２００ｃｍと通常より大きく設定されているので、車椅子のままで容易にトイレに出入できる。
【発明を実施するための最良の形態】
【００１９】
以下図面を参照して本発明の実施の形態について説明する。
（第１の実施の形態）
図１は本発明に係る住宅の室内構造を備えた住宅の一例を示す平面図である。この住宅は多数の住戸を備えた共同住宅の中の一つの住宅であり、単身者向けのものである。
【００２０】
この住宅の平面視におけるほぼ中央部には、トイレ１が配置されている。このトイレ１を画成する壁のうち、東側の壁１ａには、トイレ１に出入するためのトイレ出入口２が形成されており、このトイレ出入口２の幅は７０ｃｍ〜２００ｃｍに設定されている。このようにすれば車椅子３も通行可能となる。トイレ出入口２は引戸２ａによって開閉されるようになっており、引戸２ａを開位置にすると、トイレ出入口２が全開口するようになっている。
【００２１】
前記トイレ１の南側には、居間４が配置されており、この居室４の幅は住宅の東西の幅と等しくなっている。居間４は単身者用であるので寝室としても使用され、この居間４の南側にバルコニー５が配置されている。バルコニー５の左右端部（東西端部）には、開閉式の扉６，６が設けられており、該扉６，６は隣の住宅のバルコニーとの界壁となっている。このように界壁が扉６，６となっているので、力のあまりない高齢者や被介護者でも緊急の際に、扉６，６を開けて隣の住宅のバルコニーに入って助けを求めることができる。
【００２２】
前記トイレ出入口２の前には、通路６が配置されており、この通路６は居間４に繋がっている。なお、通路６東側には収納所７が通路６に沿って配置されている。この収納所７の戸は引違い式の戸７ａになっており、戸７ａを開閉する際にこの戸７ａが車椅子３の通行を妨げないようになっている。
前記トイレ２の北側に隣接して洗面室１０が配置されており、この洗面室１０の北側に隣接して浴室１１が配置されている。また、洗面室１０の東西の幅は、トイレ２と通路６と収納所７を合わせた幅と等しくなっている。
【００２３】
通路６から洗面室１０に出入するための出入口１０ａの幅は、車椅子３が通行可能となるように車椅子３の幅より十分大きく設定されており、該出入口１０ａを開閉する戸は、引戸１０ｂとなっている。そして引戸１０ｂを開位置にすると、出入口１０ａが全開口するようになっている。また、洗面室１０の東側の壁に寄せて洗面台１０ｃが設けられており、西側の壁に寄せて、洗濯機置場１０ｄや棚１０ｅが設けられている。これら洗面台１０ｃ、洗濯機置場１０ｄ、棚１０ｅは、通路６の延長上には配置されておらず、これによって通路６を通ってきた車椅子３は、洗面室１０内を前記浴室１１に向けてスムーズに移動できる。
【００２４】
洗面室１０から浴室１１に出入するための出入口１１ａの幅は、車椅子３が通行可能となるように車椅子３の幅より十分大きく設定されており、該出入口１１ａを開閉する戸は、３連の引戸１１ｂとなっている。そして引戸１１ｂを開位置にすると、出入口１１ａが前記出入口１０ａとほぼ同幅で開口するようになっている。
また、前記トイレ出入口前の通路６の延長上に、洗面室１０の出入口１０ａと、浴室１１の出入口１１ａとが一直線上に配置されている。
【００２５】
また、前記浴室１１の西側には玄関１２が配置されており、この玄関１２と浴室１１との間には収納所１３が配置されている。玄関１２の玄関土間１２ａと玄関ホール１２ｂとは段差がなく、玄関土間１２ａには、西側の壁に寄せてベンチ１４が設置されている。このベンチ１４に腰掛けて靴の着脱を行う。また、ベンチ１４の横には靴箱１５が設けられている。また、玄関戸１６は引戸となっており、引戸１６を開位置にすると、玄関出入口が全開口するようになっている。
【００２６】
玄関ホール１２ｂの南側に隣接して、キッチン１７が配置されており、このキッチン１７の南側に隣接して前記居間（居室）４が配置されている。また、キッチン１７の東側に隣接して前記トイレ１と洗面室１０が配置されている。
玄関ホール１２ｂとキッチン１７との境界にある出入口１８と、キッチン１７と居間４との境界にある出入口１９と、玄関出入口とは一直線上に配置されている。出入口１８を開閉する戸１８ａは引戸であり、該引戸１８ａを開位置にすると、出入口１８が全開口するようになっている。出入口１９を開閉する戸１９ａも引戸であり、該引戸１９ａを開位置にすると、出入口１９が全開口するようになっている。
また、キッチン１７には、西側の壁に寄せて収納所１７ａ、調理台１７ｂ、冷蔵庫置場１７ｃが設けられている。これら収納所１７ａ、調理台１７ｂ、冷蔵庫置場１７ｃは、出入口１８と出入口１９との間には配置されておらず、これによって玄関１２を通ってきた車椅子３は、キッチン１７内を居間４に向けてスムーズに移動できる。
【００２７】
本実施の形態によれば、住宅の平面視におけるほぼ中央部にトイレ１が配置されているので、高齢者や被介護者が住宅内のどの位置に居ても、トイレ１に最短距離で直ぐに行ける。また、トイレ出入口２の幅が７０ｃｍ〜２００ｃｍに設定されているので、介護者が被介護者を介護しつつ容易にトイレ１に出入りさせることができる。また、トイレ出入口２の幅が７０ｃｍ〜２００ｃｍと通常より大きく設定されているので、車椅子３のままで容易にトイレ１に出入できる。
また、トイレ出入口前の通路６の延長上に、洗面室１０の出入口１０ａと、浴室１１の出入口１１ａとが一直線上に配置されているので、トイレ１から出て直ぐに洗面室１０で手洗い等を行え、また、トイレ出入口前の通路６から一直線で洗面室１０、浴室１１まで行けるので、車椅子を必要とする高齢者や被介護者にとって非常に使い勝手がよくなる。
また、洗面室１０の出入口１０ａと浴室１１の出入口１１ａとの双方を開放しておくことによって、風の抜けがよくなり、洗面室１０や浴室１１を快適に保つことができる。
【００２８】
さらに、玄関ホール１２ｂとキッチン１７との境界にある出入口１８と、キッチン１７と居間４との境界にある出入口１９とが一直線上に配置されているので、玄関ホール１２ｂと居間４との間を一直線で行き来でき、車椅子を必要とする高齢者や被介護者にとって非常に使い勝手がよくなる。
また、車椅子のままでキッチン１７で作業をしていても、直ぐに玄関ホール１２ｂや居間４に出入できる。
【００２９】
なお、本実施の形態では、トイレ出入口２をトイレ１を画成する壁のうち、東側の壁１ａに１つ設けたが、図２に示すように、西側の壁１ｂにもう１つトイレ出入口２２を対向して形成してもよい。このトイレ出入口２２は、キッチン１７とトイレ１との境界に設けられたものである。
このうように、トイレ出入口２，２２が２つ配置されているので、トイレ１への出入が２方向から行え、さらにトイレ１に最短距離で直ぐに行ける。また、高齢者や被介護者が一方の出入口２（２２）からトイレ１に入った際に、他方の出入口２２（２）から介護者が容易に介護できる。
また、キッチン１７とトイレ１との境界にトイレ出入口２２が配置されているので、キッチン１７から直ぐにトイレ１に出入できる。したがって、車椅子を必要とする高齢者や被介護者がキッチン１７で作業していても、直ぐにトイレ１に出入できる。
【００３０】
（第２の実施の形態）
図３は本発明に係る住宅の室内構造を備えた住宅の他の例を示す平面図である。この住宅は多数の住戸を備えた共同住宅の中の一つの住宅であり、夫婦向けのものである。
【００３１】
この住宅の平面視におけるほぼ中央部には、トイレ３１が配置されている。このトイレ３１を画成する壁のうち、南側の壁３１ａには、トイレ３１に出入するためのトイレ出入口３２が形成されており、このトイレ出入口３２の幅は７０ｃｍ〜２００ｃｍに設定されている。このようにすれば車椅子３も通行可能となる。トイレ出入口３２は引戸３２ａによって開閉されるようになっており、引戸３２ａを開位置にすると、トイレ出入口３２が全開口するようになっている。
【００３２】
トイレ３１の東側に隣接して被介護者用の部屋３３が配置されており、この部屋３３の南側に隣接して居間３４が配置されている。居間３４と部屋３３との間にある出入口３５は３連の引戸３６によって開閉されるようになっている。居間３４の南側に隣接してバルコニー３５が設けられている。
【００３３】
また、トイレ３１の北側に隣接して浴室３６が配置されており、この浴室３６の東側に隣接し、かつ、前記部屋３３の北側に隣接して洗面室３７が配置されている。洗面室３７と部屋３３との間にある出入口３８は引戸３８ａによって開閉されるようになっている。また、洗面室３７と浴室３６との間にある出入口３９は引戸３９ａによって開閉されるようになっている。出入口３８，３９は平面視において直角に配置されており、これによって、部屋３３から出入口３８，３９を通って直ぐに浴室３６に出入できるようになっている。また、出入口３８，３９の幅は車椅子３の幅より十分に大きく設定されている。
【００３４】
前記浴室３６の西側に隣接して、玄関４０が配置されており、この玄関４０の玄関土間４０ａと玄関ホール４０ｂとは段差がなく、玄関土間４０ａには、西側の壁に寄せてベンチ４１が設置されている。
また、玄関ホール４０ｂと被介護者用の部屋３３との間には廊下４２が配置されている。この廊下４２は平面視においてＬ字型をなすものであり、その角部には、廊下４２の南側でかつ居間３４の北側に設けられたキッチン４３への出入口４４が配置されている。この出入口４４は引戸４４ａによって開閉されるようになっている。また、部屋３３への出入口４５は引戸４５ａによって開閉されるようになっている。
さらに、廊下４２の途中で角部を曲がった位置には、前記トイレ出入口３２が配置されている。
【００３５】
キッチン４３と居間３４との間にある出入口４６と、前記出入口４４と、玄関４０とは一直線上に配置されており、これによって、玄関４０から居間３４まで一直線で行き来できる。
【００３６】
本実施の形態によれば、住宅の平面視におけるほぼ中央部にトイレ３１が配置されているので、高齢者や被介護者が住宅内のどの位置に居ても、トイレ３１に最短距離で直ぐに行ける。また、トイレ出入口３２の幅が７０ｃｍ〜２００ｃｍに設定されているので、介護者が被介護者を介護しつつ容易にトイレ３１に出入りさせることができる。また、トイレ出入口３２の幅が７０ｃｍ〜２００ｃｍと通常より大きく設定されているので、車椅子３のままで容易にトイレ１に出入できる。
また、玄関４０と被介護者用の部屋３３との間に廊下４２が配置され、この廊下４２の途中に面してトイレ出入口３２が配置されているので、被介護者は外出先から帰宅した際に直ぐにトイレ３１に行くことができ、また、外出する直前にもトイレ３１に直ぐに行くことができる。
さらに、廊下４２の角部にキッチン４３への出入口４４が配置されており、角部を曲がったところにトイレ出入口３２が配置されているので、トイレ出入口３２からトイレ３１に出入する際に、玄関２からキッチン４３や居間３４への廊下４２の通行を邪魔することがない。
【図面の簡単な説明】
【００３７】
【図１】本発明に係る住宅の室内構造の一例を示すもので、その平面図である。
【図２】同、２つのトイレ出入口があるものを示す要部の平面図である。
【図３】本発明に係る住宅の室内構造の他の例を示すもので、その平面図である。
【符号の説明】
【００３８】
１，３１  トイレ
２，２２，３２  トイレ出入口
３  車椅子
４  居間（居室）
６  通路
１０  洗面室
１０ａ  出入口
１１  浴室
１１ａ  出入口
１２，４０  玄関
１７  キッチン
１８，１９  出入口
３３  被介護者用の部屋
４２  廊下
【図１】
2008231817.tif 000003
【図２】
2008231817.tif 000004
【図３】
2008231817.tif 000005